(57)【要約】【課題】光源の発光による発熱量を著しく低減させることができて、火傷等を生じることなく反射鏡板を手動操作することができると共に投光範囲を自在に調整することができ、而して、照明演出の多様化を図り得る照明装置を提供すること【解決手段】照明装置１は、発光ダイオード２を有した光源３と、光源３を収容している筐体４と、筐体４に収容されていると共に光源３の周囲に配置された反射鏡板５及び５ａと、反射鏡板５及び５ａが俯仰可能となるように反射鏡板５及び５ａを回転自在に筐体４に取り付けている俯仰手段６とを具備している。【選択図】図１
2011086417.tif 000002
【特許請求の範囲】
【請求項１】
発光ダイオードを有した光源と、この光源を収容している筐体と、この筐体に収容されていると共に光源の周囲に配置された少なくとも一つの反射鏡板と、この反射鏡板が俯仰可能となるように反射鏡板を回転自在に筐体に取り付けている俯仰手段とを具備している照明装置。
【請求項２】
俯仰手段は、反射鏡板に一の方向に伸びる軸心を中心として回転自在に装着された軸体と、この軸体に一体的に連結されていると共に筐体に一の方向に交差する方向に伸びる他の軸心を中心として回転自在に装着された他の軸体とを具備している請求項１に記載の照明装置。
【請求項３】
筐体は、光源が取り付けられた後壁と、後壁に連結されていると共に当該後壁から前方に向かって伸びた周壁と、周壁の前端部に画成されてなる投光用開口とを具備しており、周壁は、後壁から投光用開口に向かって拡がっており、俯仰手段は、反射鏡板を後壁に回転自在に取り付けている請求項１又は２に記載の照明装置。
【発明の詳細な説明】
【技術分野】
【０００１】
本発明は、テレビスタジオ、写真スタジオ、舞台等で使用する照明装置に関する。
【背景技術】
【０００２】
例えば、特許文献１においては、筐体に収容された光源の発光に基づいて投光する照明装置が提案されている。
【先行技術文献】
【特許文献】
【０００３】
【特許文献１】特開２００７−５９２２０号公報
【発明の概要】
【発明が解決しようとする課題】
【０００４】
ところで、斯かる照明装置では、手動操作により光源からの投光範囲を調整し得ず、而して、照明演出の多様化を図り難い。
【０００５】
本発明は、前記諸点に鑑みてなされたものであり、その目的とするところは、光源の発光による発熱量を著しく低減させることができて、火傷等を生じることなく反射鏡板を手動操作することができ、反射鏡板を俯仰させることで発光ダイオードの発光に基づく投光範囲を自在に調整することができ、而して、照明演出の多様化を図り得る照明装置を提供することにある。
【課題を解決するための手段】
【０００６】
本発明の照明装置は、発光ダイオードを有した光源と、この光源を収容している筐体と、この筐体に収容されていると共に光源の周囲に配置された少なくとも一つの反射鏡板と、この反射鏡板が俯仰可能となるように反射鏡板を回転自在に筐体に取り付けている俯仰手段とを具備している。
【０００７】
本発明の照明装置によれば、特に、発光ダイオードを有した光源と、反射鏡板が俯仰可能となるように反射鏡板を回転自在に筐体に取り付けている俯仰手段とを具備しているために、光源の発光による発熱量を著しく低減させることができて、火傷等を生じることなく反射鏡板を手動操作することができ、反射鏡板を俯仰させることで発光ダイオードの発光に基づく投光範囲を自在に調整することができ、而して、照明演出の多様化を図り得る。
【０００８】
本発明の照明装置では、俯仰手段は、反射鏡板に一の方向に伸びる軸心を中心として回転自在に装着された軸体と、この軸体に一体的に連結されていると共に筐体に一の方向に交差する方向に伸びる他の軸心を中心として回転自在に装着された他の軸体とを具備していてもよく、斯かる照明装置によれば、反射鏡板を軸体を中心として俯仰させることができる上に、他の軸体を中心として俯仰させることもでき、而して、照明演出の更なる多様化を図り得る。
【０００９】
本発明の照明装置では、筐体は、光源が取り付けられた後壁と、後壁に連結されていると共に当該後壁から前方に向かって伸びた周壁と、周壁の前端部に画成されてなる投光用開口とを具備しており、周壁は、後壁から投光用開口に向かって拡がっており、俯仰手段は、反射鏡板を後壁に回転自在に取り付けていてもよく、斯かる照明装置によれば、特に周壁が、後壁から投光用開口に向かって拡がっているために、反射鏡板の俯仰可能域を拡大させることができ、而して、照明演出の更なる多様化を図り得る。
【発明の効果】
【００１０】
本発明によれば、光源の発光による発熱量を著しく低減させることができて、火傷等を生じることなく反射鏡板を手動操作することができ、反射鏡板を俯仰させることで発光ダイオードの発光に基づく投光範囲を自在に調整することができ、而して、照明演出の多様化を図り得る照明装置を提供し得る。
【図面の簡単な説明】
【００１１】
【図１】本発明の実施の形態の例の斜視説明図である。
【図２】図１に示す例の平面視断面説明図である。
【図３】図１に示す例の正面視説明図である。
【図４】図１に示す例の一部拡大説明図である。
【図５】図１に示す例の動作説明図である。
【発明を実施するための形態】
【００１２】
次に本発明を、図に示す好ましい実施の形態の例に基づいて更に詳細に説明する。なお、本発明はこれら例に何等限定されないのである。
【実施例】
【００１３】
図１から図５において、本例の照明装置１は、発光ダイオード２を有した光源３と、光源３を収容している筐体４と、筐体４に収容されていると共に光源３の周囲に配置された少なくとも一つ、本例では二つの反射鏡板５及び５ａと、反射鏡板５及び５ａが俯仰可能となるように反射鏡板５及び５ａを回転自在に筐体４に取り付けている俯仰手段６と、筐体４に取り付けられた電源装置１１及び放熱板１２とを具備している。
【００１４】
光源３は、例えば図３に示すように、一列に並んで配された複数の発光ダイオード２を有しており、複数の発光ダイオード２は、夫々互いに電気的に接続されている。複数の発光ダイオード２は、正面において露出した平面状の発光面１５を夫々有している。複数の発光ダイオード２の発光の制御は、これらに供給される電流等の制御、例えばＰＷＭ制御によって行われ、これにより、光源３の夫々の光量を速やかに且つ漸次的に滑らかに調整し得る。複数の発光ダイオード２の夫々の消費電力は１Ｗ〜２Ｗ程度である。光源３は、複数の発光ダイオード２の総消費電力が例えば１０Ｗ程度となるように形成されていてもよい。複数の発光ダイオード２の発光色には特段の限定はなく、例えば、白色、赤色、緑色、青色等であってもよい。また、光源３は、一列に並んで配された複数の発光ダイオード２を複数列有していてもよく、複数列の発光ダイオード２の夫々は、互いに白色等の同一色を発光するようになっていても、互いに異なる色を発光するようになっていてもよく、例えば、３列の複数の発光ダイオード２の夫々の列が互いに異なる色として赤色、緑色、青色を発光するようになっている場合には、これらの光量を適宜調整することによって赤、緑及び青の三つの原色を混ぜる加法混色を速やかに且つ漸次的に滑らかに行い得る。
【００１５】
筐体４は、例えば図１から図３に示すように、光源３が取り付けられた後壁２１と、後壁２１に連結されていると共に当該後壁２１から前方に向かってＸ方向に伸びた周壁２２と、周壁の前端部２３に画成されてなる投光用開口２４とを具備している。筐体４の内面は鏡面２５からなる。
【００１６】
後壁２１の内面には光源３が取り付けられており、後壁２１の外面には電源装置１１が取り付けられている。光源３は電源装置１１に電気的に接続されている。後壁２１の内面は鏡面２５を有している。後壁２１は正面視矩形状である。
【００１７】
周壁２２は、その後端部で後壁２１の周縁に連結されている。周壁２２は、上壁２８と、下壁２９と、上壁２８及び下壁２９の後壁２１から前方に向かって伸びた縁部の夫々を連結している一対の側壁３０及び３０ａとを具備している。上壁２８及び下壁２９は鏡面２５を有している。周壁２２は、本例では、後壁２１から投光用開口２４に向かって拡がっている。側壁３０及び３０ａは、後壁２１から投光用開口２４に向かうに伴ってＸ方向に直交するＹ方向において互いに漸次離反するように外側に夫々傾斜している。投光用開口２４は正面視矩形状に形成されている。
【００１８】
反射鏡板５及び５ａは、例えば図２及び図３に示すように、筐体４の内部を仕切るように夫々配されており、反射鏡板５は光源３に対して側壁３０側に配置されており、反射鏡板５ａは光源３に対して側壁３０ａ側に配置されている。反射鏡板５及び５ａの夫々の光源３側に位置する反射面は鏡面２５からなる。反射鏡板５及び５ａは夫々矩形状である。尚、本例では、反射鏡板５及び５ａは互いに同様に形成されている。
【００１９】
俯仰手段６は、例えば図４に示すように、反射鏡板５にＸ方向に伸びる軸心を中心としてＲ１方向に回転自在に装着された軸体３５と、軸体３５に一体的に連結されていると共に筐体４にＸ方向に交差する方向、本例ではＸ方向及びＹ方向に直交するＺ方向に伸びる他の軸心を中心としてＲ２方向に回転自在に装着された軸体３６とを具備している。また、俯仰手段６は、反射鏡板５ａにＸ方向に伸びる軸心を中心としてＲ１方向に回転自在に装着された軸体３５ａと、軸体３５ａに一体的に連結されていると共に筐体４にＸ方向に交差する方向、本例ではＸ方向及びＹ方向に直交するＺ方向に伸びる他の軸心を中心としてＲ２方向に回転自在に装着された軸体３６ａとを具備している。
【００２０】
軸体３６の後壁２１側に位置する端部は、軸体３５の両端部間に位置する中央部に一体的に連結されている。軸体３５及び３６は、図３に示すように、一つのＴ字型の部材を形成している。軸体３５は、取付部材３９を介して反射鏡板５の側壁３０側の面に回転自在に取り付けられている。Ｚ方向において軸体３５に対して一方側に位置する軸体３６の部位は、取付部材４０を介して後壁２１の光源３及び側壁３０間の部位にＲ２方向に回転自在に取り付けられている。Ｚ方向において軸体３５に対して他方側に位置する軸体３６の部位は、取付部材４１を介して後壁２１の光源３及び側壁３０間の部位にＲ２方向に回転自在に取り付けられている。
【００２１】
軸体３６ａの後壁２１側に位置する端部は、軸体３５ａの両端部間に位置する中央部に一体的に連結されている。軸体３５ａ及び３６ａは、一つのＴ字型の部材を形成している。軸体３５ａは、取付部材３９ａを介して反射鏡板５ａの側壁３０ａ側の面に回転自在に取り付けられている。Ｚ方向において軸体３５ａに対して一方側に位置する軸体３６ａの部位は、取付部材４０ａを介して後壁２１の光源３及び側壁３０ａ間の部位にＲ２方向に回転自在に取り付けられている。Ｚ方向において軸体３５ａに対して他方側に位置する軸体３６ａの部位は、取付部材４１ａを介して後壁２１の光源３及び側壁３０ａ間の部位にＲ２方向に回転自在に取り付けられている。
【００２２】
放熱板１２は、側壁３０及び３０ａの夫々の後壁２１側の部位に複数枚設けられており、これら複数枚の放熱板１２は、本例では放射状に伸びている。
【００２３】
以上の照明装置１による投光範囲を調整する場合には、例えば図５に示すように、反射鏡板５の手動操作により軸体３５及び３６にＲ１方向及びＲ２方向の回転を生じさせて、当該反射鏡板５をＲ１方向及びＲ２方向に俯仰させると共に、反射鏡板５ａの手動操作により軸体３５ａ及び３６ａにＲ１方向及びＲ２方向の回転を生じさせて、当該反射鏡板５ａをＲ１方向及びＲ２方向に俯仰させることによって行う。
【００２４】
本例の照明装置１によれば、発光ダイオード２を有した光源３と、光源３を収容している筐体４と、筐体４に収容されていると共に光源３の周囲に配置された少なくとも一つ、本例では二つの反射鏡板５及び５ａと、反射鏡板５及び５ａが俯仰可能となるように反射鏡板５及び５ａを回転自在に筐体４に取り付けている俯仰手段６とを具備しているために、光源３の発光による発熱量を著しく低減させることができて、火傷等を生じることなく反射鏡板５及び５ａを手動操作することができ、反射鏡板５及び５ａを俯仰させることで発光ダイオード２の発光に基づく投光範囲を自在に調整することができ、而して、照明演出の多様化を図り得る。
【００２５】
照明装置１によれば、俯仰手段６は、反射鏡板５及び５ａにＸ方向に伸びる軸心を中心として回転自在に装着された軸体３５及び３５ａと、軸体３５及び３５ａに一体的に連結されていると共に筐体４にＸ方向に交差するＺ方向に伸びる他の軸心を中心として回転自在に装着された軸体３６及び３６ａとを具備しているために、反射鏡板５及び５ａを軸体３５及び３５ａを中心としてＲ１方向に俯仰させることができる上に、軸体３６及び３６ａを中心としてＲ２方向に俯仰させることもでき、而して、照明演出の更なる多様化を図り得る。
【００２６】
照明装置１によれば、筐体４は、光源３が取り付けられた後壁２１と、後壁２１に連結されていると共に当該後壁２１から前方に向かって伸びた周壁２２と、周壁２２の前端部２３に画成されてなる投光用開口２４とを具備しており、周壁２２は、後壁２１から投光用開口２４に向かって拡がっており、俯仰手段６は、反射鏡板５及び５ａを後壁２１に回転自在に取り付けているために、反射鏡板５及び５ａの俯仰可能域を拡大させることができ、而して、照明演出の更なる多様化を図り得る。
【符号の説明】
【００２７】
１  照明装置
２  発光ダイオード
３  光源
４  筐体
５、５ａ  反射鏡板
６  俯仰手段
３５、３５ａ、３６、３６ａ  軸体
【図１】
2011086417.tif 000003
【図２】
2011086417.tif 000004
【図３】
2011086417.tif 000005
【図４】
2011086417.tif 000006
【図５】
2011086417.tif 000007